(57)【要約】【課題】ガスボンベの付属品であるアダプターノズルとキャップとを組み合わせてガス抜き具に利用することによって、従来の包装箱をそのまま使用することができ、製品コストアップも抑制できるガスボンベの残ガス抜き取り装置を提供すること。【解決手段】降下時に開弁し、通常時、上昇復帰して閉弁するガス吐出ノズル４を上面中央に備えたガスボンベ１と、頂部中央にガス抜き孔６を有し、前記ガスボンベ１の上面に嵌着可能とされ、嵌着時、前記ガス吐出ノズル４から離隔して該ノズル４を閉弁状態に保護する頂部内面を備えたキャップ２と、前記ガス吐出ノズル４の周囲と前記キャップ１の内周面との間の空間内に収納された複数のアダプターノズル３とを具備し、残ガス抜き取り時、アダプターノズル３の一つを前記ガス吐出ノズル４に挿着してキャップ２をガスボンベ１の上面に嵌着することによりガス抜きを行うようにした。【選択図】　　　図１
0003097794.tif 000002
【実用新案登録請求の範囲】
【請求項１】
降下時に開弁し、通常時、上昇復帰して閉弁するガス吐出ノズルを上面中央に備えたガスボンベと、
頂部中央にガス抜き孔を有し、前記ガスボンベの上面に嵌着可能とされ、嵌着時、前記ガス吐出ノズルから離隔して該ノズルを閉弁状態に保護する頂部内面を備えたキャップと、
前記ガス吐出ノズルの周囲と前記キャップ内周面との間の空間内に収納された複数のアダプターノズルとを具備し、
残ガス抜き取り時、アダプターノズルの一つを前記ガス吐出ノズルに挿着してキャップをガスボンベの上面に嵌着することによりガス抜きを行うようにしたことを特徴とするガスボンベの残ガス抜き取り装置。
【請求項２】
前記キャップの頂部内面には、アダプターノズルの先端と係合して心出しする環状ガイド部が設けられていることを特徴とする請求項１に記載のガスボンベの残ガス抜き取り装置。
【考案の詳細な説明】
【０００１】
【考案の属する技術分野】
本考案は、ガスボンベの残ガス抜き取り装置に関するものである。
【０００２】
【従来の技術】
例えば、ガスライター用ガスボンベは、使用後の廃棄に際し、ガスが残存していると、後処理工程で爆発する場合があるため、残ガスを抜き取る対策が要求されている。
従来の残ガス抜き取り対策として、実開昭５５−１１９１７０号公報（以下、公知文献１と称す）、実開平６−６９６００号公報（以下、公知文献２と称す）、実用新案登録第３０１６４７０号公報（以下、公知文献３と称す）等が提案されている。
【０００３】
【考案が解決しようとする課題】
前記公知文献１のものは、ガスボンベのキャップ内に適合する形状の別部品からなるガス抜き具を用いるもので、このガス抜き具の中心部とキャップの頂部とにガス抜き孔を明けた構成からなり、ガスボンベの廃棄時にのみ前記ガス抜き具をキャップに嵌め込んで使用するものである。ところが、このガス抜き具は、使用後のガス抜き専用部品であるため、ガスボンベ製品出荷時には、キャップから外した状態で箱詰めしなければならず、従来の包装箱が使えず、前記ガス抜き具の分だけ余分のスペースを持った包装箱を使用する必要がある。しかも、前記ガス抜き具の専用の金型を必要とし、全体として、商品コストをアップさせるという問題点があった。
【０００４】
また、前記公知文献２及び３のものは、いずれもガスボンベのキャップの頂部内面にガス抜き具を下向きに突設し、該キャップの頂部外周面に凸縁を設けた構成からなり、ガスボンベの廃棄時、キャップを逆向きにしてガスボンベに装着することにより、ガスボンベのガス吐出ノズルを前記ガス抜き具で押し下げてガス抜き孔を通してガス抜きするものである。ところが、このガス抜き具は、キャップの頂部内面に下向きに突設するものであるため、従来のキャップ金型をそのまま使用することができず、新たな金型の製作が必要となる。また、キャップの高さがガス抜き具の分だけ高くなり、従来の包装箱が使えず、背の高い新たな包装箱を用いなければならず、製品コストをアップさせるという問題点があった。
【０００５】
このように、従来の対策は、包装箱を新たなものとしなければならず、製品コストをアップさせていた。
そこで、本考案は、ガスボンベの付属品であるアダプターノズルとキャップとを組み合わせてガス抜き具に利用することによって、従来の包装箱をそのまま使用することができ、製品コストアップも抑制できるガスボンベの残ガス抜き取り装置を提供することを課題としている。
【０００６】
【課題を解決するための手段】
前記課題を解決するため、本考案は、降下時に開弁し、通常時、上昇復帰して閉弁するガス吐出ノズルを上面中央に備えたガスボンベと、
頂部中央にガス抜き孔を有し、前記ガスボンベの上面に嵌着可能とされ、嵌着時、前記ガス吐出ノズルから離隔して該ノズルを閉弁状態に保護する頂部内面を備えたキャップと、
前記ガス吐出ノズルの周囲と前記キャップ内周面との間の空間内に収納された複数のアダプターノズルとを具備し、
残ガス抜き取り時、アダプターノズルの一つを前記ガス吐出ノズルに挿着してキャップをガスボンベの上面に嵌着することによりガス抜きを行うようにしたことを特徴としている。
【０００７】
本考案は上記構成としたから、ガスボンベの付属品であるアダプターノズルとキャップとを組み合わせてガス抜き具に利用することによって、従来の包装箱をそのまま使用することができ、製品コストアップも抑制できるガスボンベの残ガス抜き取り装置を提供することができる。
即ち、一般に、ガスライターのガス充填口の形状がガスライターメーカーや製品の種類等によって異なっており、それらの形状に適合するアダプターノズルが付属品としてガスボンベと一緒に販売されている。本考案者は、この点に着目し、キャップの頂部にガス抜き孔だけを明けておき、後はガスボンベの付属品として従来から一緒に販売されているアダプターノズルをガスボンベのガス吐出ノズルに挿着利用することにより、ガス吐出ノズルの高さを嵩上げしてキャップの頂部内面でガス吐出ノズルを押し下げさせてガス抜き具として使用するようにしたものである。これにより、本考案の残ガス抜き対策によれば、キャップの高さは従来通りでよく、ガス抜き孔だけ明ければよく、簡単安価に対応でき、しかも、従来の包装箱をそのまま使用することができ、製品コストアップも抑制できるガスボンベの残ガス抜き取り装置を提供することができる。
【０００８】
また、本考案の前記キャップの頂部内面には、アダプターノズルの先端と係合して心出しする環状ガイド部が設けられていることを特徴としている。
この構成によれば、残ガス抜き取り時、環状ガイド部がアダプターノズルの先端と係合して心出しを行い、キャップ頂部のガス抜き孔とアダプターノズルとを整合させて残ガス抜きを容易化することができる。
【０００９】
【考案の実施の形態】
以下、本考案の実施の形態を図面に基づいて説明すると次の通りである。
図１の（Ａ）（Ｂ）は、本考案の第１実施形態を示すもので、ガスボンベ１の上面にドーム形状のキャップ２を嵌着し、アダプターノズル３を挿着してガスボンベ１の残ガス抜き取り時とアダプターノズル３を外した通常時のガスボンベ１の側面図であって、キャップ２の左半分を断面で示している。
ガスボンベ１は、金属板製で密閉円筒形状をなし、上面中央にガス吐出ノズル４を有し、上面周囲にキャップ２を嵌着保持する環状の係止鍔部５を有する。ガス吐出ノズル４は、降下時に開弁して内部に封入されたガスを噴出し、通常時には上昇復帰して閉弁し、ガスの噴出を停止するものである。
【００１０】
キャップ２は、図１、図２に示すように、樹脂製でドーム形状をなし、頂部中央にガス抜き孔６を有し、頂部内面には、アダプターノズル３の先端と係合して心出しする環状ガイド部７が設けられている。また、キャップ２の下端内周面には、前記ガスボンベ１の上面周囲の環状の係止鍔部５に係止してキャップ２をガスボンベ１の上面に嵌着保持させる係止凸部８が形成されている。
キャップ２は、通常時、図１の（Ｂ）に示すように、ガスボンベ１の上面に嵌着した時、前記ガス吐出ノズル４から離隔して該ノズル４を閉弁状態に保護する頂部内面を備えている。
【００１１】
アダプターノズル３は、ガスライターメーカーや製品の種類等によって異なるガスライターのガス充填口の形状に適合する複数のものが、図３に示すように、リング状支持体９の周囲に脚部１０を介して放射状に分岐配置されており、前記ガスボンベ１の上面のガス吐出ノズル４の周囲にリング状支持体９が遊嵌され、このガス吐出ノズル４と前記キャップ２の内周面との間の空間内に収納されて一緒に販売されている。
本考案では、残ガス抜き取り時、図１の（Ａ）に示すように、アダプターノズル３の一つをリング状支持体９から切り離して前記ガス吐出ノズル４に挿着してキャップ２をガスボンベ１の上面に嵌着することにより、ガス吐出ノズル４の高さをアダプターノズル３で嵩上げし、キャップ２の頂部内面でアダプターノズル３を介してガス吐出ノズル４を押し下げて開弁させ、ガス抜きを行えるようにしたものである。この場合、キャップ２の頂部内面には、環状ガイド部７が設けてあるため、この環状ガイド部７とガス吐出ノズル４に挿着したアダプターノズル３の先端とが心出しされてキャップ２の頂部中央のガス抜き穴６とガス吐出ノズル４に挿着したアダプターノズル３とが整合し、ガスボンベ１内の残ガス抜きが容易に行われる。
【００１２】
図４は本考案の第２実施形態を示すもので、キャップ２がフラットな頂部をもつ円筒状のものに適用した場合を示しており、他の構成は前記第１実施形態と同様である。この場合も、ガス吐出ノズル４にアダプターノズル３を挿着してキャップ２によりガスボンベ１内の残ガス抜きを行っている状態を図示している。なお、通常時には、アダプターノズル３をガス吐出ノズル４から外されるため、キャップ２をガスボンベ１に嵌着しても、キャップ２の頂部内面がガス吐出ノズル４の先端に接触せず、離隔しているため、ガスが噴出することはない。
【００１３】
本考案の実施形態は以上であって、アダプターノズル３を利用することを主体として説明してきたが、複数のアダプターノズルにガス抜き専用のアダプターを追加し、これを利用する場合も本考案の範囲に含まれるものである。
【００１４】
【考案の効果】
本考案によれば、ガスボンベの付属品であるアダプターノズルとキャップとを組み合わせてガス抜き具に利用することによって、従来の包装箱をそのまま使用することができ、製品コストアップも抑制できるガスボンベの残ガス抜き取り装置を提供することができる。
【図面の簡単な説明】
【図１】（Ａ）（Ｂ）は、本考案の第１実施形態を示すもので、ドーム形状のキャップを装着したガスボンベの残ガス抜き取り時と通常時のガスボンベの側面図であって、キャップの左半分を断面で示している。
【図２】図１のキャップの平面図である。
【図３】ガスボンベの付属品として一緒に販売されているアダプターノズルの斜視説明図である。
【図４】本考案の第２実施形態を示すもので、フラットな頂部を有する円筒状キャップを装着したガスボンベの残ガス抜き取り時のガスボンベの側面図である。
【符号の説明】
１　　ガスボンベ
２　　キャップ
３　　アダプターノズル
４　　ガス吐出ノズル
５　　環状の係止鍔部
６　　ガス抜き孔
７　　環状ガイド部
８　　係止凸部
９　　リング状支持体
１０　　脚部
【図１】
0003097794.tif 000003
【図２】
0003097794.tif 000004
【図３】
0003097794.tif 000005
【図４】
0003097794.tif 000006